(57)【要約】      （修正有）【課題】長い時間泳ぎをして日の光に当たっても、肩を火傷することなく、日光浴を涼しく、気持ちよく出来る泳ぎやすいサンバスフロートを提供する。【解決手段】ビニールを使用して、救命胴衣の様な形で背と胸に当てる浮き袋１，２と両肩を覆うところを薄くして、背肩胸に当たる部分を一体で作り、被るように着用して使う、肩を痛めず水に浮かんで日光浴が出来る、泳ぎやすいサンバスフロート。また、肩から胸までと、背の下の部分を、浮き袋の上下を、左右対称に接着し、さらに、背中から肩を覆う部分は光を反射する色を用いたことを特徴とする。【選択図】図１
0003193365.tif 000002
【実用新案登録請求の範囲】
【請求項１】
ビニールを使用して、救命胴衣の様な形で浮き袋を作り、背から胸のまで同じ空気袋作り、被るように着用して使う、肩を痛めず水に浮かんで日光浴が出来る、泳ぎやすいサンバスフロート。
【請求項２】
肩から胸までと、背の下の部分を、空気袋の上下を、左右対称に接着する、請求項１の泳ぎやすいサンバスフロート。
【請求項３】
背中から肩を覆う部分は光を反射する色にする、請求項１の泳ぎやすいサンバスフロート。
【考案の詳細な説明】
【技術分野】
【０００１】  本考案は、海や川に行って泳いだ後、砂浜で日光浴をしながら寝てしまい、暑さで目が覚めて、肩が痛くて手が上がらなくなるほど火傷をすることがあります。これを、水の中で浮かびながら、涼しく日光浴が出来て、さらに、肩が火傷で痛くならないもので，泳ぐ時にも進み抵抗が少なく泳ぎやすい。浮遊具にする。
【背景技術】
【０００２】  今までは、砂浜で日光浴をした時や、浮き輪を使って長い時間泳ぐとき、また、浮きマットの上で日光浴をした場合、肩と背中を陽で焼き過ぎて、火傷をしてしまう事があった。そして、マットの場合、手で水をかき、足でキックして、前に進みやすい形であるが、浮き輪の場合は前に進みにくい物であった。
【先行技術文献】
【特許文献】
【０００３】
【特許文献１】特開２００１−１６３２９５
【特許文献２】特開  平９−０５８５８２
【非特許文献】
【０００４】
【非特許文献１】実公０３−０５７２５４
【考案の概要】
【考案が解決しようとする課題】
【０００５】  浮遊具を使って長い間泳いていても、肩や背中が日焼けで痛くならず、水から顔を出して、楽で安定した形で日光浴が出来、泳ぎやすく進み易い浮遊具を作る。
【課題を解決するための手段】
【００６】  泳ぐ時水の抵抗が少ない形の浮き袋を、胸に当てる物と背中に付ける物を作る。そして、空気層を薄く作った物で、太陽の光が直接当たることが無いように、両肩を守るように浮き袋を作る。そして、背中から肩を覆う部分は光を反射する色にして置く。さらに、背中に付ける浮き袋の下部の両端に、空気層を薄く造ったものを、マジックテープを外側に付けて伸ばして置き、胸に当てる浮き袋の方もマジックテープを内側に付けた物を付けて出し、着脱し易く作って置く。
【考案の効果】
【０００７】  本考案の浮遊具は、浮き袋を水の抵抗を少なくする形に造るので、泳いて移動が楽にできる形に作ってある為、水泳の補助具としても良い。【０００８】  そして、砂浜で日光浴をして、長い時間寝てしまい、背中や肩を焼き、痛くて手が上に上がらなくなることがあります。しかし、本考案の浮遊具を付けて、水に入って日光浴をした場合、肩を火傷せず、快適な日光浴をすることができる。【０００９】  また、浮き袋の様な浮遊具では、直射日光を浴びて、後で痛くなるほど焼いてしまう事があるが、空気層を薄くして造ったもので肩を覆うので火傷を防ぐ事ができる。【００１０】  さらに、空気層を薄く作った、肩を覆うものと、着脱用のマジックテープの付いた胴周りを締めるものは、空気層の凹凸がある為に、水切れが良いのと、肌に接する面が少ない為、快適に着用出来る。【００１１】  そして、空気層に合わせる、肌に接する方のビニールは、光を反射する色にすることにより、日焼け及び紫外線それに安全面にも効果を発する。【００１２】  また、胸のところに浮き袋が付く為、水面より口が上に出ることにより、楽に呼吸しながら泳ぐことができる。【００１３】  さらに、背泳ぎで進む場合、浮き袋が頭を押し上げてくれるので、周囲が見易くなり、楽に泳ぐことができる。【００１４】  そして、身体を水中に浸けて、顔を上に向けて、浮き袋を枕にして、楽に涼しく日光浴をすることができる。【００１５】  また、水遊びの一番の目的は、暑い夏の日に、水に浸かって涼しく気持ちよく過ごすことで、それが、水に浮きながら、のんびり味わう事が出来る。
【図面の簡単な説明】
【００１６】
【図１】「本考案の着用を示した側面図である。」
【図２】「本考案の全体を展開させた裏面図である。」
【考案を実施するための形態】
【００１７】  本考案の肩を火傷しないで水に浮かんで日光浴、泳ぎやすいサンバスフロートは、日光浴をする時、海に於いては、深いところまで泳いて行って日光浴が出来、流れるプール等では、浮かんで流れながら、日光浴をする事が出来る。
【実施例】
【００１８】  空気を入れて膨らました、サンバスフロートを頭からかぶり、後と前をマジックテープで留めて水に入る。【００１９】  海に於いては、波が上下動しているところで日光浴をする、そして、流れるプールに於いては、浮かんで流れながら日光浴をする。
【産業上の利用可能性】
【００２０】  日光を直接浴びると、紫外線の悪い影響を多く受けます。本考案のサンバスフロートを着用して水に入って日光浴をすることにより、紫外線及び火傷等の被害を少なくすることが出来る。そして、水の中で涼しく気持ちよく日光浴をすることが出来て、夏の遊びの楽しみが増える。、
【符号の説明】
【００２１】  １、胸側の浮き袋、
２、背中側の浮き袋
３、浮き袋の上下二枚を接着
４、背側のバンド
５、腹側のバンド
６、一対のマジックテープ
【図１】
0003193365.tif 000003
【図２】
0003193365.tif 000004
【手続補正書】
【提出日】平成26年7月2日(2014.7.2)
【手続補正１】
【補正対象書類名】実用新案登録請求の範囲
【補正対象項目名】全文
【補正方法】変更
【補正の内容】
【実用新案登録請求の範囲】
【請求項１】
ビニールを使用して、救命胴衣の様な形で背と胸に当てる浮き袋と両肩を覆うところを薄くして、背肩胸に当たる部分を一体で作り、被るように着用して使う、肩を痛めず水に浮かんで日光浴が出来る、泳ぎやすいサンバスフロート。
【請求項２】
肩から胸までと、背の下の部分を、浮き袋の上下を、左右対称に接着する、請求項１の泳ぎやすいサンバスフロート。
【請求項３】
背中から肩を覆う部分は光を反射する色にする、請求項１の泳ぎやすいサンバスフロート。
【手続補正２】
【補正対象書類名】明細書
【補正対象項目名】全文
【補正方法】変更
【補正の内容】
【考案の詳細な説明】
【技術分野】
【０００１】  本考案は、海や川に行って泳いだ後、砂浜で日光浴をしながら寝てしまい、暑さで目が覚めて、肩が痛くて手が上がらなくなるほど火傷をすることがあります。これを、水の中で浮かびながら、涼しく日光浴が出来て、さらに、肩が火傷で痛くならないもので，泳ぐ時にも進み抵抗が少なく泳ぎやすい。浮遊具にする。
【背景技術】
【０００２】  今までは、砂浜で日光浴をした時や、浮き輪を使って長い時間泳ぐとき、また、浮きマットの上で日光浴をした場合、肩と背中を陽で焼き過ぎて、火傷をしてしまう事があった。そして、マットの場合、手で水をかき、足でキックして、前に進みやすい形であるが、浮き輪の場合は前に進みにくい物であった。
【先行技術文献】
【特許文献】
【０００３】
【特許文献１】特開２００１−１６３２９５
【特許文献２】特開  平９−０５８５８２
【非特許文献】
【０００４】
【非特許文献１】実公０３−０５７２５４
【考案の概要】
【考案が解決しようとする課題】
【０００５】  浮遊具を使って長い間泳いていても、肩や背中が日焼けで痛くならず、水から顔を出して、楽で安定した形で日光浴が出来、泳ぎやすく進み易い浮遊具を作る。
【課題を解決するための手段】
【００６】  泳ぐ時水の抵抗が少ない形の浮き袋を、胸に当てる物と背中に付ける物を作る。そして、空気層を薄く作った物で、太陽の光が直接当たることが無いように、両肩を守るように浮き袋を作る。そして、背中から肩を覆う部分は光を反射する色にして置く。さらに、背中に付ける浮き袋の下部の両端に、空気層を薄く造ったものを、面ファスナーを外側に付けて伸ばして置き、胸に当てる浮き袋の方も面ファスナーを内側に付けた物を付けて出し、着脱し易く作って置く。
【考案の効果】
【０００７】  本考案の浮遊具は、浮き袋を水の抵抗を少なくする形に造るので、泳いて移動が楽にできる形に作ってある為、水泳の補助具としても良い。【０００８】  そして、砂浜で日光浴をして、長い時間寝てしまい、背中や肩を焼き、痛くて手が上に上がらなくなることがあります。しかし、本考案の浮遊具を付けて、水に入って日光浴をした場合、肩を火傷せず、快適な日光浴をすることができる。【０００９】  また、浮き袋の様な浮遊具では、直射日光を浴びて、後で痛くなるほど焼いてしまう事があるが、空気層を薄くして造ったもので肩を覆うので火傷を防ぐ事ができる。【００１０】  さらに、空気層を薄く作った、肩を覆うものと、着脱用の面ファスナーの付いた胴周りを締めるものは、空気層の凹凸がある為に、水切れが良いのと、肌に接する面が少ない為、快適に着用出来る。【００１１】  そして、空気層に合わせる、肌に接する方のビニールは、光を反射する色にすることにより、日焼け及び紫外線それに安全面にも効果を発する。【００１２】  また、胸のところに浮き袋が付く為、水面より口が上に出ることにより、楽に呼吸しながら泳ぐことができる。【００１３】  さらに、背泳ぎで進む場合、浮き袋が頭を押し上げてくれるので、周囲が見易くなり、楽に泳ぐことができる。【００１４】  そして、身体を水中に浸けて、顔を上に向けて、浮き袋を枕にして、楽に涼しく日光浴をすることができる。【００１５】  また、水遊びの一番の目的は、暑い夏の日に、水に浸かって涼しく気持ちよく過ごすことで、それが、水に浮きながら、のんびり味わう事が出来る。
【図面の簡単な説明】
【００１６】
【図１】「本考案の着用を示した側面図である。」
【図２】「本考案の全体を展開させた裏面図である。」
【考案を実施するための形態】
【００１７】  本考案の肩を火傷しないで水に浮かんで日光浴、泳ぎやすいサンバスフロートは、日光浴をする時、海に於いては、深いところまで泳いて行って日光浴が出来、流れるプール等では、浮かんで流れながら、日光浴をする事が出来る。
【実施例】
【００１８】  空気を入れて膨らました、サンバスフロートを頭からかぶり、後と前を面ファスナーで留めて水に入る。【００１９】  海に於いては、波が上下動しているところで日光浴をする、そして、流れるプールに於いては、浮かんで流れながら日光浴をする。
【産業上の利用可能性】
【００２０】  日光を直接浴びると、紫外線の悪い影響を多く受けます。本考案のサンバスフロートを着用して水に入って日光浴をすることにより、紫外線及び火傷等の被害を少なくすることが出来る。そして、水の中で涼しく気持ちよく日光浴をすることが出来て、夏の遊びの楽しみが増える。
【符号の説明】
【００２１】１、胸側の浮き袋、
２、背中側の浮き袋
３、浮き袋の上下二枚を接着
４、背側のバンド
５、腹側のバンド
６、一対の面ファスナー